(57)【要約】【課題】保管時に嵩が低く、便座上への配置時に粘着等を必要とせず、着脱が容易で、使い捨てにも適した便座カバーの提供を課題とする。【解決手段】便座の左右の座板にそれぞれ取り付けられる軟質の発泡樹脂製の便座カバー１であって、上面カバー部１０ａと下面カバー部１０ｂとが連続して一体に形成された伸縮性のある扁平なチューブ状のシート１０を一定の長さにして、その両端１１をカットして構成してある。また下面カバー部１０ｂの中央部に長手方向の切り欠き１２を設けている。またシート１０は長手方向に湾曲させると共に、全体を１８０度回転させた場合に鏡面対称となるように構成している。【選択図】　　　　図１
2004105495.tif 000002
【特許請求の範囲】
【請求項１】
便座の左右の座板にそれぞれ取り付けられる軟質の発泡樹脂製の便座カバーであって、上面カバー部と下面カバー部とが連続して一体に形成された伸縮性のある扁平なチューブ状のシートを一定の長さにして、その両端をカットして構成してあることを特徴とする便座カバー。
【請求項２】
扁平なチューブ状のシートの下面カバー部の中央部を長手方向に沿って切り欠いてあることを特徴とする請求項１に記載の便座カバー。
【請求項３】
扁平なチューブ状のシートは、長手方向に湾曲させて構成することで湾曲した便座シートの座板に沿って取り付けることができるようにすると共に、全体を１８０度回転させた場合に鏡面対称となって他方の座板にも取り付けることができるように構成していることを特徴とする請求項１又は２に記載の便座カバー。
【発明の詳細な説明】
【０００１】
【発明の属する技術分野】
本発明は洋式便器の便座カバーに関する。
【０００２】
【従来の技術】
洋式便器の便座に関して、一般家庭等においては布製の便座カバー等が用いられて、ある程度の期間は取り替えることなく使用される。一方、宿泊客が使用するホテルのトイレや或いは複数の人が使用する公共的なトイレにおいては、使い捨ての便座カバーや便座シートが用いられる。
従来の使い捨て用の便座シートとしては、便座の表面形状に近い形に切り抜いたような紙製シートがある。またこれに紙紐を付けて便器の一部に結ぶようにしたものもある。また最近は裏面に粘着剤のようなものを付して、便座表面に貼り付けるものも提供されている。
一方、使い捨ての便座カバーとしては、現実にはさほど使用されていないが、プラスチック製の比較的硬質のものを便座の上から側部乃至裏側へかけて嵌め込むものが主流となっている。
【０００３】
【発明が解決しようとする課題】
上記布製の便座カバーは、一般に安価ではなく、使い捨て用というよりは家庭等で繰り返し洗って使用するものである。
また上記従来の紙製の使い捨て便座シートは、安価ではあるが、便座上での位置決め配置等が容易ではなく、またその場的に置かれるだけであるから、実質上１回きりの使用となる。
一方、裏面に粘着剤を付して便座の上に貼り付ける形式の便座シートは、使い捨てではあるが、１回ずつ取り替えるのではなく、適当な複数回の使用の後に取り替えるものとして用いられる。従って家庭や公共的なトイレにおいて、長期間ではないが便座シートが汚れる等までの間、短期的に用いるものとして適している。しかしながら裏面に粘着剤等が付されているので、その粘着剤等が便座の表面に残り、そこが汚れやすくなる等の問題がある。
更に従来のプラスチック製の便座カバーは、比較的硬質のものを便座の上から側部乃至裏側へかけて嵌め込むようにしたものであるから、使用に供するまでの保管時に嵩が高いという問題がある。また嵩が高いことから、便器の傍らに置いておくといったことに適していないという問題もあった。形を保ったものを適当に押し広げて便座へ嵌め合せる必要があることから、便座への取り付けが必ずしも容易で簡単ではないという問題があった。
【０００４】
そこで本発明は上記従来の問題点を解消し、保管時に嵩が低く、便座上への配置時に粘着等を必要とせず、着脱が容易で、使い捨てにも適した便座カバーの提供を課題とする。
【０００５】
【課題を解決するための手段】
上記課題を達成するため、本発明の便座カバーは、便座の左右の座板にそれぞれ取り付けられる軟質の発泡樹脂製の便座カバーであって、上面カバー部と下面カバー部とが連続して一体に形成された伸縮性のある扁平なチューブ状のシートを一定の長さにして、その両端をカットして構成してあることを第１の特徴としている。
また本発明の便座カバーは、上記第１の特徴に加えて、扁平なチューブ状のシートの下面カバー部の中央部を長手方向に沿って切り欠いてあることを第２の特徴としている。
また本発明の便座カバーは、上記第１又は第２の特徴に加えて、扁平なチューブ状のシートは、長手方向に湾曲させて構成することで湾曲した便座シートの座板に沿って取り付けることができるようにすると共に、全体を１８０度回転させた場合に鏡面対称となって他方の座板にも取り付けることができるように構成していることを第３の特徴としている。
【０００６】
上記第１の特徴による便座カバーによれば、両端をカットされた扁平なチューブ状のシートを、それぞれ便座カバーの左右の座板に装着させることで、座板の先端部分と基端部分を除く部分が前記チューブ状のシートでカバーされる。前記チューブ状のシートの長さは、使用者が便座に腰掛けたときに座板に当接するであろう範囲の長さであればよく、座板の全長をカバーする長さは必要ない。また座板の先端部分は使用者が腰掛けた時にも非接触の状態となるので、必ずしもカバーされていなくてよい。
本発明の便座カバーは伸縮性を備えているので、その伸縮性を利用して簡単に座板に装着させることができると共に、座板の形にフィットさせることができる。また軟質の発泡樹脂製としているので、使用者にとって腰掛けた際の触感がよく、また断熱性もよいので、腰掛けた際の熱的な違和感が生じない。勿論、粘着等により貼り付ける必要なく装着することができ、座板の裏側までチューブ状のシートが入り込んでいるので、装着状態が位置ずれしたり、脱落したりすることもない。勿論、取り外しも容易である。
本発明の便座カバーは、樹脂製の扁平なシート状であるので、材料費、生産コストも低く、使い捨てにも適している。
特に本発明の便座カバーは、便座への装着前は扁平なシート状を保っているので嵩が低く、保管等に非常に便利である。
【０００７】
また上記第２の特徴による便座カバーによれば、上記第１の特徴による作用効果に加えて、扁平なチューブ状のシートの下面カバー部の中央部を長手方向に沿って切り欠いてあることにより、便座カバーの下面カバー部を開けることで、該便座カバーを座板に上から被せた後、前記下面カバー部を座板の裏側に巻き込むだけで、簡単に装着することができる。
【０００８】
また上記第３の特徴による便座カバーによれば、上記第１又は第２の特徴による作用効果に加えて、扁平なチューブ状のシートは、長手方向に湾曲させて構成することで湾曲した便座シートの座板に沿って取り付けることができ、扁平なチューブ状のシートからなる便座カバーを湾曲した便座シートの座板により良好にフィットさせることができる。
更に本発明の便座カバーは、全体を１８０度回転させた場合に鏡面対称となって他方の座板にも取り付けることができるように構成していることで、左右の座板に応じて１対の異なる形状の便座カバーを用意する必要なく、１種類の便座カバーを用意するだけで左右の座板に問題なく装着することができる。
【０００９】
【発明の実施の形態】
以下、図面を参照しながら本発明の実施形態を更に詳細に説明する。
図１は本発明の実施形態を示す便座カバーの平面図、図２は同じく便座カバーの断面図、図３は本発明の便座カバーを便座に取り付けた状態を示す斜視図、図４は便座カバーを便座の座板に取り付けた状態を示す断面図である。
【００１０】
図１〜図４を参照して、本発明の便座カバー１は、その上に人が座った際に適当なクッション性が発揮されるような軟質の発泡樹脂から構成されている。また便座カバー１を便座２の座板２ａに装着させる際に、便座カバー１と座板２ａとの多少の形状の不一致を吸収し、便座カバー１が座板２ａにフィットして装着できるように、適当な伸縮性を持たせている。勿論、この伸縮性はゴムのような大きな伸縮性は必要とせず、色々な便座２の座板２ａに応じて少しずつ異なる形状に対応できる程度の伸縮性があればよい。
上記の軟質で伸縮性のある発泡樹脂は、例えば、発泡ポリエチレン、発泡ポリスチレン、発泡ポリウレタン、発泡スチロールにて製造が可能である。前記発泡ポリエチレンは燃やすと水と炭酸ガスに分解するので、環境にもやさしい。
【００１１】
本発明の便座カバー１は、上面カバー部１０ａと下面カバー部１０ｂとからなる扁平なチューブ状のシート１０で構成されている。
前記扁平なチューブ状のシート１０は、一定の長さになるようにその両端部１１、１１がカットされている。
この扁平なチューブ状のシート１０の長さは、左右の座板２ａ、２ａの先端部分と基端部分を除く部分が前記チューブ状のシート１０でカバーされるような長さとする。実際問題として、シート１０の長さは、使用者が便座に腰掛けた時に座板に当接するであろう範囲の長さであればよく、座板２ａの全長をカバーする長さは必要ない。また座板２ａの先端部分は使用者が腰掛けた時にも非接触の状態となるので、必ずしもカバーされていなくてよいのである。
【００１２】
前記シート１０の下面カバー部１０ｂは、その中央部を長手方向に沿って切り欠いてある。この切り欠き１２を設けることで、座板２ａへの装着を非常に簡単に行うことができる。
即ち、本発明の扁平なチューブ状のシート１０は軟質であるから、座板２ａへの装着の際には、シート１０の下面カバー部１０ｂを前記切り欠き１２のところから両側に開いておくことができ、その開いた状態で座板２ａの上から被せ、更に下面カバー部１０ｂを座板２ａの裏側に巻き込むだけで、簡単に装着することができる。前記切り欠き１２の切り幅の寸法は特に限定されるものではない。
【００１３】
前記切り欠き１２は必ずある必要はない。切り欠き１２がある場合は、左右の座板２ａ、２ａがリング状に連続している便座２の場合にも適用できるが、切り欠き１２が無い場合は、左右の座板２ａ、２ａが分離した馬蹄形の便座２に限定される。
また切り欠き１２が無い場合は、シート１０が完全なチューブとなるので、座板２ａへの装着が、切り欠き１２がある場合ほど容易ではない。しかし軟質で伸縮性があるので座板２ａへの装着は十分に可能である。
【００１４】
扁平なチューブ状のシート１０は、座板２ａの一般的な湾曲状態と同程度に湾曲させて構成している。シート１０を長手方向に座板２ａと同様な湾曲状態で湾曲させることで、座板２ａに対して充分にフィットして装着することができる。
【００１５】
扁平なチューブ状のシート１０の形状は、長手方向に湾曲している場合でも、そうでない場合においても、該シート１０を１８０度回転させた場合に、回転前の位置にあるシート１０と回転後の位置にあるシート１０とが鏡面対称となるように構成している。これによって、左右の何れの座板２ａ、２ａに対しても、２種類のシート１０を用意することなく、１種類のシート１０を２枚用いて問題なく装着することができる。
【００１６】
【発明の効果】
本発明は以上の構成、作用よりなり、請求項１に記載の便座カバーによれば、便座の左右の座板にそれぞれ取り付けられる軟質の発泡樹脂製の便座カバーであって、上面カバー部と下面カバー部とが連続して一体に形成された伸縮性のある扁平なチューブ状のシートを一定の長さにして、その両端をカットして構成してあるので、
その両端をカットされた扁平なチューブ状のシートを、それぞれ便座カバーの左右の座板に装着させることで、座板の先端部分と基端部分を除く部分をカバーすることができる。
便座カバーは伸縮性を備えているので、その伸縮性を利用して簡単に座板に装着させることができると共に、座板の形にフィットさせることができる。
また軟質の発泡樹脂製としているので、使用者にとって腰掛けた際の触感がよく、また断熱性もよいので、腰掛けた際の熱的な違和感が生じない。
勿論、粘着等により貼り付ける必要なく装着することができ、座板の裏側までチューブ状のシートが入り込んでいるので、装着状態が位置ずれしたり、脱落したりすることもない。勿論、取り外しも容易である。
また便座カバーは樹脂製のシート状であるので、材料費、生産コストも低く、使い捨てにも適している。
特に本発明の便座カバーは、便座への装着前は扁平なシート状を保っているので嵩が低く、保管等に非常に便利である。
また請求項２に記載の便座カバーによれば、上記請求項１に記載の構成による効果に加えて、扁平なチューブ状のシートの下面カバー部の中央部を長手方向に沿って切り欠いてあるので、
便座カバーの下面カバー部を両側に開いた状態にして、該便座カバーを座板に上から被せた後、前記下面カバー部を座板の裏側に巻き込むという操作で、非常に簡単に装着することができる。
また請求項３に記載の便座カバーによれば、上記請求項１又は２に記載の構成による効果に加えて、扁平なチューブ状のシートは、長手方向に湾曲させて構成することで湾曲した便座シートの座板に沿って取り付けることができるようにすると共に、全体を１８０度回転させた場合に鏡面対称となって他方の座板にも取り付けることができるように構成したので、
扁平なチューブ状のシートからなる便座カバーを、湾曲した便座シートの座板により良好にフィットさせることができる。
また左右の座板に応じて１対の異なる形状の便座カバーを用意する必要なく、１種類の便座カバーを用意するだけで左右の座板に問題なく装着することができる。
【図面の簡単な説明】
【図１】本発明の実施形態を示す便座カバーの平面図である。
【図２】同じく本発明の便座カバーの断面図である。
【図３】本発明の便座カバーを便座に取り付けた状態を示す斜視図である。
【図４】同じく本発明の便座カバーを便座の座板に取り付けた状態を示す断面図である。
【符号の説明】
１　　　便座カバー
２　　　便座
２ａ　　座板
１０　　扁平なチューブ状のシート
１０ａ　上面カバー部
１０ｂ　下面カバー部
１１　　端部
１２　　切り欠き
【図１】
2004105495.tif 000003
【図２】
2004105495.tif 000004
【図３】
2004105495.tif 000005
【図４】
2004105495.tif 000006